(57)【要約】【課題】床面の塵埃の飛散を防止するとともに排気効率を向上できる電気掃除機を提供する。【解決手段】モータ室１６に隣接するコードリール室１７に電動送風機１９の排気を供給してコードリール室１７の冷却を行う電気掃除機１において、モータ室１６及びコードリール室１７の後方を覆う後部カバー１３を備え、電源コード２１を引き出すコード出口２３を後部カバー１３の上部に設けるとともに、コードリール２０に対面する傾斜面１３ｂをコード出口２３よりも下方に設け、外部に連通する通気孔２４を傾斜面１３ｂに形成した。【選択図】      図５
2005021244.tif 000002
【特許請求の範囲】
【請求項１】
電動送風機が配されるモータ室と、前記モータ室に隣接して連通口を介して連通するとともに電源コードを巻き取るコードリールを有するコードリール室と、前記モータ室及び前記コードリール室の後方を覆う後部カバーとを備え、後方へ前記電源コードを引き出すコード出口を前記後部カバーの上部に設けるとともに、前記コードリールに対面する傾斜面を前記コード出口よりも下方の前記後部カバーに設け、外部に連通する通気孔を前記傾斜面に形成したことを特徴とする電気掃除機。
【請求項２】
前記傾斜面が曲面から成ることを特徴とする請求項１に記載の電気掃除機。
【請求項３】
前記傾斜面を鏡面仕上げしたことを特徴とする請求項１または請求項２に記載の電気掃除機。
【請求項４】
前記後部カバーは前記通気孔の鉛直方向において前記コード出口の上方が開放されることを特徴とする請求項１〜請求項３のいずれかに記載の電気掃除機。
【請求項５】
前記コード出口の開口面積を前記通気孔の開口面積よりも広くしたことを特徴とする請求項１〜請求項４のいずれかに記載の電気掃除機。
【請求項６】
前記電動送風機は下方に開口部を有したハウジングにより覆われ、該開口部から流出した排気が前記コードリール室の下部に設けた前記連通口を介して前記コードリール室に流入することを特徴とする請求項１〜請求項５のいずれかに記載の電気掃除機。
【請求項７】
イオンを発生するイオン発生装置を備え、前記コード出口及び前記通気孔からイオンを放出できることを特徴とする請求項１〜請求項６のいずれかに記載の電気掃除機。
【発明の詳細な説明】
【０００１】
【発明の属する技術分野】
本発明は電気掃除機に関し、特に電気掃除機の背面を覆う後部カバーに関する。
【０００２】
【従来の技術】
従来の電気掃除機は、電動送風機が配されるモータ室とコードリールが配されるコードリール室とが隔壁を介して隣接して設けられる。モータ室及びコードリール室は背面が後部カバーにより覆われている。後部カバーにはコードリールにより巻き取られる電源コードを引き出すコード出口が設けられている。
【０００３】
コード出口が下方に設けられると電源コードと容易に引き出すことができない。このため、特許文献１にはコード出口を後部カバーの上部に配した電気掃除機が開示されている。これにより、ユーザーが容易に電源コードを引き出すことができ、電気掃除機の使用性の向上が図られている。
【０００４】
また、コードリール室はモータ室に連通し、電動送風機の駆動により発生する空気流がコードリール室内を流通する。これにより、電源コードの発熱によって温度上昇するコードリール室内を冷却して、電気掃除機の安全性が確保されるようになっている。
【０００５】
【特許文献１】
特開平１１−２２５９２９号公報（第３頁−第５頁、第４図）
【０００６】
【発明が解決しようとする課題】
しかしながら、上記従来の電気掃除機によると、コードリール室内を冷却する空気流は充分な冷却効果を得るために空気量が多くなっている。また、コード出口は開口面積が狭いため、コードリール室内を流通してコード出口から排気される空気の流速は速くなる。このため、コード出口から流出する空気によって床面の塵埃が撒き散らされ、効率良く掃除ができない問題や環境の悪化を招く問題があった。
【０００７】
また、コードリールの上方を流通する空気流はコード出口から略接線方向に流出するが、コードリールの下方を流通する空気流はコード出口付近で後方へ屈曲される。このため、排気の圧力損失が大きくなり、電気掃除機の排気効率が低下して吸引力の低下や騒音が生じる問題もあった。
【０００８】
本発明は、床面の塵埃の飛散を防止できる電気掃除機を提供することを目的とする。また本発明は、排気効率を向上できる電気掃除機を提供することを目的とする。
【０００９】
【課題を解決するための手段】
上記目的を達成するために本発明は、電動送風機が配されるモータ室と、前記モータ室に隣接して連通口を介して連通するとともに電源コードを巻き取るコードリールを有するコードリール室と、前記モータ室及び前記コードリール室の後方を覆う後部カバーとを備え、後方へ前記電源コードを引き出すコード出口を前記後部カバーの上部に設けるとともに、前記コードリールに対面する傾斜面を前記コード出口よりも下方の前記後部カバーに設け、外部に連通する通気孔を前記傾斜面に形成したことを特徴としている。
【００１０】
この構成によると、電動送風機の排気はモータ室から連通口を介してコードリール室に流入する。コードリールの上方を流通する空気は後部カバーの上部に配されたコード出口より排気される。コードリールの下方を流通する空気はコードリールに対面してコード出口の下方に設けられる傾斜面に沿って流通し、通気孔から上方に排気される。これにより、コード出口及び通気孔から排気された空気が合流して水平よりも上方へ送出される。
【００１１】
傾斜面がコードリールと同心の円筒面等の曲面から成ると空気がよりスムーズに流通して圧力損失を低減できる。また、傾斜面を鏡面仕上げして面粗さを細かくすることにより傾斜面に沿ってよりスムーズに空気が流通する。
【００１２】
通気孔の鉛直方向においてコード出口の上方を開放するように後部カバーを形成すると、通気孔から流出した空気が遮られずにコード出口から流出した空気と合流する。また、コード出口の開口面積を通気孔の開口面積よりも広くするとコード出口からの流量が多くなり、排気が上方に向けられる角度が抑制される。
【００１３】
下方に開口部を有するハウジングにより電動送風機を覆い、連通口をコードリール室の下部に設けると、該開口部からコードリール室の下部に空気が流入する。これにより、後部カバーの上部に設けられたコード出口及び通気孔から排気されるまでの間にコードリール室内の全体に空気が循環する。
【００１４】
また、イオンを発生するイオン発生装置を備えると、フィルター等との接触による消滅を生じることなくコード出口及び通気孔からイオンが放出され、床面との衝突による消滅が抑制される。これにより、イオンが室内に流通してリラクゼーション効果や除菌効果が得られる。
【００１５】
【発明の実施の形態】
以下に本発明の実施形態を図面を参照して説明する。図１は一実施形態の電気掃除機を示す構成図である。電気掃除機１は本体部２に接続ホース３及び延長パイプ４を介して吸込口体５が接続されている。接続ホース３と延長パイプ４との間にはユーザが把持するハンドル６が設けられている。本体部２は電動送風機１９（図２参照）を備え、電動送風機１９の駆動によって吸込口体５に設けられた吸気口（不図示）から塵埃とともに空気が吸引される。
【００１６】
図２、図３は本体部２の内部を示す側面断面図及び上面断面図である。また、図４は図３よりも下方の断面を示す上面断面図である。本体部２は上部、下部及び背面を夫々上部カバー１１、下部カバー１２及び後部カバー１３により覆われている。下部カバー１２には車輪１４が回転可能に支持され、本体部２を容易に移動可能になっている。
【００１７】
本体部２の前部にはサイクロン集塵機１８が配される集塵室１５が設けられる。集塵室１５の後方にはモータ室１６及びコードリール室１７が隔壁２２を介して横方向に隣接して設けられる。モータ室１６には電動送風機１９が配され、コードリール室１７には電源コード２１を巻き取るコードリール２０が配される。
【００１８】
サイクロン集塵機１８は電動送風機１９による吸気が下部から流入して旋回する。旋回気流が壁面に衝突することにより脱落した塵埃が捕集される。塵埃が除去された空気は流出口１８ａを介して上部に導かれ、ダクト２７を介してモータ室１６に流入するようになっている。
【００１９】
電動送風機１９はハウジング１９ａで覆われており、コードリール室１７の方向に向けてハウジング１９ａの下部に設けられた流出口１９ｂから空気が流出するようになっている。後部カバー１３のモータ室１７背面側（以下、「背面部１３ｃ」という）には複数の排気孔１３ａ（図６参照）が形成される。後部カバー１３には排気孔１３ａを覆うフィルター（不図示）が取付けられている。これにより、電動送風機１９の流出口１９ｂから流出した空気はフィルターを介して清浄化され、背面部の排気孔１３ａから排気される。
【００２０】
また、モータ室１６の後部のコードリール室１７側にはイオンを発生するイオン発生装置２６が配されている。これにより、マイナスイオンを排気孔１３ａから室内に送出することによってリラクゼーション効果を得ることができる。また、マイナスイオンとプラスイオンとを排気孔１３ａから室内に送出することによって浮遊菌の除菌効果を得ることができるようになっている。
【００２１】
モータ室１６とコードリール室１７とを隔離する隔壁２２には下部及び上部に連通口（不図示）が形成さている。流出口１９ｂから流出した空気は連通口を介してコードリール室１７に流入する。これにより、電源コード２１の発熱によって温度上昇するコードリール室１７内が冷却される。隔壁２２の下部に設けられた連通口によって電動送風機１９の下部の流出口１９ｂから流出した空気が容易にコードリール室１７内に流入する。これにより、圧力損失の増加が抑制されるようになっている。
【００２２】
図５はコードリール室１７を示す側面断面図である。上部カバー１１及び下部カバー１２の内面はコードリール２０と同心の円筒面に近似した曲面によりコードリール２０を覆うように形成されている。後部カバー１３には曲面から成る傾斜面１３ｂがコードリール２０に対向するように形成されている。傾斜面１３ｂの上方には電源コード２１を引き出すコード出口２３が後方に向けて開口している。
【００２３】
図６〜図８は後部カバー１３を示す背面図、上面図及び側面断面図である。コード出口２３は電源コード２１を容易に取り出せるように後部カバー１３の上部に設けられている。また、後部カバー１３の後端面１３ｄよりもコード出口２３が前方に形成されている。これにより、電源コード２１の収納時にプラグ２１ａ（図５参照）が後端面１３ｄから突出しないようになっている。
【００２４】
コード出口２３の下方の傾斜面１３ｂには複数の小孔から成る通気孔２４が形成されている。コード出口２３の開口面積は通気孔２４の開口面積よりも広くなっている。通気孔２４を単一の開口により形成してもよい。
【００２５】
図５において、モータ室１６からコードリール室１７に流入する空気は一部の電源コード２１が巻回されたコードリール２０の周囲を図中、時計回り及び反時計回りに矢印Ａ１、Ｂ１に示すように流通する。上部カバー１１に沿って時計回りに流通する空気はコードリール室１７の後方上部に配されたコード出口２３から矢印Ａ２に示すようにコードリール２０の略接線方向に流出する。
【００２６】
下部カバー１２に沿って反時計回りに流通する空気は矢印Ｂ２に示すように傾斜面１３ｂに沿って流通し、矢印Ｂ３に示すように通気孔２４から上方に向けて流出する。そして、コード出口２３から流出した空気と通気孔２４から流出した空気とが合流し、矢印Ｃに示すように上方に向けて排気される。
【００２７】
これにより、コード出口２３から流出する空気による床面の塵埃の飛散が防止される。従って、効率良く掃除することができるとともに環境の悪化を防止することができる。この時、コード出口２３の開口面積が通気孔２４の開口面積よりも広いので鉛直上方に近い向きに排気されず、水平よりもやや上方に排気される。従って、鉛直上方に近い向きへの排気による机上の書類の飛散を防止することができる。また、排気がユーザーの顔に当たることによる不快感を防止することができる。
【００２８】
また、コードリール室１７内を反時計回りに流通して矢印Ｂ４に示すようにコード出口２３から流通する空気は前方から後方に向きを変えられるために圧力損失が大きい。本実施形態では反時計回りに流通する空気の大部分は通気孔２４から流出し、矢印Ｂ４のようにコード出口２３から流出する空気量が減少する。従って、排気の圧力損失を低減して電気掃除機１の吸引力の向上や低騒音化を図ることができる。
【００２９】
更に、通気孔２４の鉛直上方を遮蔽すると遮蔽部材と通気孔２４から流出する空気とが衝突し、コード出口２３付近で乱流が生じる。本実施形態では、図７、図８に示すように、コード出口２３の上方が開放され、通気孔２４の鉛直方向が遮蔽されない。従って、乱流の発生を防止して排気の圧力損失をより低減することができる。
【００３０】
また、後部カバー１３は樹脂成形品から成り、傾斜面１３ｂは金型を鏡面加工して鏡面仕上げされている。これにより、傾斜面１３ｂに沿って空気がスムーズに流通し、圧力損失が更に低減される。傾斜面１３ｂを平面により形成してもよいが、曲面に形成するとよりスムーズに空気を流通させることができる。コードリール２０と同心の円筒面に形成するとより望ましい。
【００３１】
尚、隔壁２２の連通口を下部に設けることによりコードリール室１７の下方から流入した空気はコードリール室１７の上方に設けたコード出口２３及び通気孔２４に導かれて排気される。従って、コードリール室１７内を空気が循環して効率良く冷却することができる。
【００３２】
また、イオン発生装置２６により発生するイオンは空気とともにコードリール室１７に流入してコード出口２３及び通気孔２４から室内に送出される。後部カバー１３の背面部からフィルターを介して送出されるイオンはフィルターとの衝突によって消失する場合がある。
【００３３】
しかし、コード出口２３及び通気孔２４にはフィルターが設けられないためイオンの消失が抑制される。更に、イオンが上方に向けて放出されるため、床面との衝突が低減される。これにより、床面との衝突によるイオンの消失を低減し、より多くのイオンを室内に流通させることができる。
【００３４】
また、コード出口２３は電源コード２１の先端のプラグ２１ａよりも小さく構成されているため、電源コード２１の冷却後の風が狭い開口面積を通過する。これにより、排気の風速が速くなるためイオンをより遠くまで搬送することができ、広範囲にイオンを拡散させることができる。従って、リラクゼーション効果や除菌効果を向上させることができる。
【００３５】
本実施形態において、傾斜面１３ｂを後部カバー１３の外壁により形成しているが、後部カバー１３の外壁の前方にリブ等により形成した傾斜面１３ｂを設けてもよい。また、後部カバー１３を上部カバー１１や下部カバー１２と一体に形成してもよい。
【００３６】
【発明の効果】
本発明によると、コードリールに対面する傾斜面を上部に設けたコード出口よりも下方の後部カバーに設け、外部に連通する通気孔を傾斜面に形成したので、コードリールの上方を流通してコード出口から流通する空気と、コードリールの下方を流通して通気孔から流通する空気とが合流して上方に向けて排気される。
【００３７】
これにより、コード出口から流出する空気による床面の塵埃の飛散が防止され、効率良く掃除することができるとともに環境の悪化を防止することができる。また、コード出口下方を流通する空気が通気孔から流出して圧力損失を低減することができる。従って、排気の圧力損失を低減して電気掃除機の吸引力の向上や低騒音化を図ることができる。
【００３８】
また本発明によると、コード出口の開口面積が通気孔の開口面積よりも広いので、水平よりもやや上方に排気される。従って、鉛直上方に近い向きへの排気による机上の書類の飛散を防止できる。また、排気がユーザーの顔に当たることによる不快感を防止することができる。
【００３９】
また本発明によると、イオン発生装置により発生するイオンがコード出口及び通気孔から上方に向けて放出されるので、床面との衝突によるイオンの消失を低減し、より多くのイオンを室内に流通させることができる。従って、リラクゼーション効果や除菌効果を向上させることができる。
【図面の簡単な説明】
【図１】は、本発明の実施形態の電気掃除機を示す斜視図である。
【図２】は、本発明の実施形態の電気掃除機の本体部を示す側面断面図である。
【図３】は、本発明の実施形態の電気掃除機の本体部を示す上面断面図である。
【図４】は、本発明の実施形態の電気掃除機の本体部を示す上面断面図である。
【図５】は、本発明の実施形態の電気掃除機のコードリール室を示す側面断面図である。
【図６】は、本発明の実施形態の電気掃除機の後部カバーを示す背面図である。
【図７】は、本発明の実施形態の電気掃除機の後部カバーを示す上面図である。
【図８】は、本発明の実施形態の電気掃除機の後部カバーを示す側面断面図である。
【符号の説明】
１    電気掃除機
２    本体部
３    接続ホース
４    延長パイプ
５    吸込口体
６    ハンドル
１１    上部カバー
１２    下部カバー
１３    後部カバー
１３ａ  排気孔
１３ｂ  傾斜面
１３ｃ  リブ
１４    車輪
１５    集塵室
１６    モータ室
１７    コードリール室
１８    集塵パック
１９    電動送風機
２０    コードリール
２１    電源コード
２２    隔壁
２３    コード出口
２４    通気孔
２６    イオン発生装置
２７    ダクト
【図１】
2005021244.tif 000003
【図２】
2005021244.tif 000004
【図３】
2005021244.tif 000005
【図４】
2005021244.tif 000006
【図５】
2005021244.tif 000007
【図６】
2005021244.tif 000008
【図７】
2005021244.tif 000009
【図８】
2005021244.tif 000010